(57)【特許請求の範囲】
【請求項１】
幅広支脚と幅狭ポケットのペアと幅広ポケットと幅狭支脚のペアとが形成された相対する長辺側壁を有し、上方の運搬用容器に形成された幅広支脚が、下方の運搬用容器に形成された幅広ポケットに挿入されるとともに、上方の運搬用容器に形成された幅狭支脚が、下方の運搬用容器に形成された幅狭ポケットに挿入されることにより、ネスティング状態となり、また、上方の運搬用容器に形成された幅広支脚及び幅狭支脚が、下方の運搬用容器に形成されたフランジに載置されることにより、スタッキング状態となるように構成された運搬用容器であって、前記運搬用容器の長辺側壁に対して直交する前記幅広ポケット及び幅狭ポケットの対向する略垂直な側壁のうち、前記運搬用容器の長辺側壁の中央寄りの略垂直な側壁に、前記運搬用容器の長辺側壁の中央方向に傾斜する傾斜面が形成されており、ネスティング状態から、上方の運搬用容器の一方の短辺側壁を持ち上げて、上方の運搬用容器の長辺側壁に形成された前記一方の短辺側壁側に位置する幅狭支脚或いは幅広支脚を、下方の運搬用容器の長辺側壁に形成された前記一方の短辺側壁側に位置する幅狭ポケット或いは幅広ポケットから取り出した後、上方の運搬用容器を略水平方向に移動させた際には、上方の運搬用容器の幅狭支脚或いは幅広支脚の長辺側壁の中央寄りの下端角部が、下方の運搬用容器の幅広ポケット或いは幅狭ポケットに形成された前記傾斜面に載置されながら前記傾斜面に沿って慴動するように構成されていることを特徴とする運搬用容器。
【請求項２】
前記幅狭支脚及び幅広支脚の下面に、それぞれ、スタックリブが形成されているとともに、上記幅狭ポケット及び幅広ポケットの底面より低い第２底面を、前記運搬用容器の内側に形成し、且つ、前記第２底面から、前記傾斜面の運搬用容器の内側に位置する上端角部に向かって収斂する第２傾斜面を形成し、ネスティング状態においては、上方の運搬用容器の幅狭支脚のスタックリブ及び幅広支脚のスタックリブが、下方の運搬用容器の前記第２底面に載置され、また、ネスティング状態から、上方の運搬用容器の一方の短辺側壁を持ち上げて、上方の運搬用容器の長辺側壁に形成された前記一方の短辺側壁側に位置する幅狭支脚或いは幅広支脚を、下方の運搬用容器の長辺側壁に形成された前記一方の短辺側壁側に位置する幅狭ポケット或いは幅広ポケットから取り出した後、上方の運搬用容器を略水平方向に移動させた際には、上方の運搬用容器の幅狭支脚のスタックリブ或いは幅広支脚のスタックリブが、下方の運搬用容器に形成された前記第２傾斜面に載置されるように構成されていることを特徴とする請求項１に記載の運搬用容器。
【請求項３】
前記幅狭ポケット及び幅広ポケットに形成された前記傾斜面の上端から下方に延びる垂直な補強リブが、前記運搬用容器の長辺側壁の外面に形成されていることを特徴とする請求項１又は請求項２に記載の運搬用容器。
【発明の詳細な説明】
【０００１】
【発明の属する技術分野】
本発明は、相対する長辺側壁と相対する短辺側壁と底部とからなる平面形状が略矩形状の運搬用容器（以下、単に、「容器」ともいう。）を、上下に積み重ねた際に、上方の容器の略下半分が、下方の容器に嵌合される状態（以下、このような状態を、「ネスティング状態」或いは、単に、「ネスティング」という。）と、上方の容器の下部が、下方の容器の開口部に沿って形成されたフランジに載置される状態（以下、このような状態を、「スタッキング状態」或いは、単に、「スタッキング」という。）とに選択可能な運搬用容器に関するものである。
【０００２】
【従来の技術】
従来の容器の斜視図である図６を用いて、一例としての従来の容器について説明する。
【０００３】
容器Ｂ’は、相対する長辺側壁１ａ、１ｂ、相対する短辺側壁２ａ、２ｂ及び底部３とを有しており、また、長辺側壁１ａ、１ｂ及び短辺側壁２ａ、２ｂの上端には、該上端から水平方向に外側に延在するフランジ４が、容器Ｂ’の開口部を囲むように形成されている。また、長辺側壁１ａ、１ｂ及び短辺側壁２ａ、２ｂは、容器Ｂ’の開口部に向かって、外側に傾斜して形成されている。
【０００４】
相対する長辺側壁１ａ、１ｂの一方の対向する端部付近の外面には、長辺側壁１ａ、１ｂの少なくとも下半分に亘って幅広支脚ｃ１が形成されており、そして、該幅広支脚ｃ１の長辺側壁１ａ、１ｂの中央寄りには、長辺側壁１ａ、１ｂを、所定の幅に亘って、外側に膨出させることにより形成された、容器Ｂ’の略半分の深さを有する幅狭ポケットｐ１が形成されている。また、容器Ｂ’の相対する長辺側壁１ａ、１ｂのもう一方の対向する端部付近には、長辺側壁１ａ、１ｂを、所定の幅に亘って、外側に膨出させることにより形成された、容器Ｂ’の略半分の深さを有する幅広ポケットｐ２が形成されており、該幅広ポケットｐ２の長辺側壁１ａ、１ｂの中央寄りの長辺側壁１ａ、１ｂの外面には、長辺側壁１ａ、１ｂの少なくとも下半分に亘って幅狭支脚ｃ２が形成されている。上記のように、本実施例においては、相対する長辺側壁１ａ、１ｂに形成された幅広支脚ｃ１と幅狭ポケットｐ１のペア及び幅広ポケットｐ２と幅狭支脚ｃ２のペアは、それぞれ、容器Ｂ’の長辺側壁１ａ、１ｂに沿った中心線に対して、対称に配置されている。
【０００５】
容器Ｂ’の相対する短辺側壁２ａ、２ｂの一方の短辺側壁２ａの両端部付近の外面には、短辺側壁２ａの少なくとも下半分に亘って、所定の幅の支脚ｃ３が形成されており、そして、該支脚ｃ３の短辺側壁２ａの中央寄りには、短辺側壁２ａを、所定の幅に亘って、外側に膨出させることにより形成された、容器Ｂ’の略半分の深さを有する一対のポケットｐ３が形成されている。また、もう一方の短辺側壁２ｂの両端部付近には、上記支脚ｃ３と相対するように、上記ポケットｐ３と同様のポケットｐ４が形成されており、そして、該もう一方の短辺側壁２ｂの両端部付近に形成されたポケットｐ４の短辺側壁２ｂ中央寄りには、上記のポケットｐ３と相対するように、上記支脚ｃ３と同様の支脚ｃ４が形成されている。
【０００６】
なお、上述した長辺側壁１ａ、１ｂに形成された幅広支脚ｃ１、幅狭支脚ｃ２及び短辺側壁２ａ、２ｂに形成された支脚ｃ３、ｃ４の下面には、スタッキングした際に、下方の容器Ｂ’の開口部に嵌合可能なスタックリブｓ１、ｓ２、ｓ３、ｓ４が、それぞれ、所定の間隔を置いて形成されている。このようなスタックリブｓ１、ｓ２、ｓ３、ｓ４を形成することにより、容器Ｂ’をスタッキングした際に、下方の容器Ｂ’の開口部に、その底部３が嵌合される上方の容器Ｂ’の水平方向の移動が制限されて、多数の容器Ｂ’を、多段に、安定してスタッキングすることができる。５は、容器Ｂ’を囲むように、フランジ４の下方に形成された水平リブであり、６は、フランジ４と水平リブ５の間の適当な位置に形成された垂直リブである。このような水平リブ５や垂直リブ６は、適宜、省略することもできる。
【０００７】
相対する長辺側壁１ａ、１ｂの一方の長辺側壁１ｂから見て、下方の容器Ｂ２’と上方の容器Ｂ１’の幅広支脚ｃ１と幅狭ポケットｐ１のペアが、共に、同じ側に位置し、また、下方の容器Ｂ２’と上方の容器Ｂ１’の幅広ポケットｐ２と幅狭支脚ｃ２のペアが、共に、同じ側に位置する場合には、即ち、上方の容器Ｂ１’と下方の容器Ｂ２’とが、同方向に積み重ねられた場合には、上方の容器Ｂ１’の長辺側壁１ａ、１ｂに形成された幅広支脚ｃ１と幅狭支脚ｃ２及び上方の容器Ｂ１’の短辺側壁２ａ、２ｂに形成された支脚ｃ３、ｃ４が、下方の容器Ｂ２’のフランジ４に載置されたスタッキング状態となる（このようなスタッキングを、一般に、同方向スタッキングと称する。）。
【０００８】
また、上方の容器Ｂ１’と下方の容器Ｂ２’とが、同方向に積み重ねられた状態から、一方の容器Ｂ’を、１８０°回転させると、上方の容器Ｂ１’の長辺側壁１ａ、１ｂに形成された幅広支脚ｃ１が、下方の容器Ｂ２’の長辺側壁１ａ、１ｂに形成された幅広ポケットｐ２に挿入され、また、上方の容器Ｂ１’の長辺側壁１ａ、１ｂに形成された幅狭支脚ｃ２が、下方の容器Ｂ２’の長辺側壁１ａ、１ｂに形成された幅狭ポケットｐ１に挿入され、更に、上方の容器Ｂ１’の一方の短辺側壁２ａに形成された支脚ｃ３が、下方の容器Ｂ２’のもう一方の短辺側壁２ｂに形成されたポケットｐ４に挿入され、更にまた、上方の容器Ｂ１’のもう一方の短辺側壁２ｂに形成された支脚ｃ４が、下方の容器Ｂ２’の一方の短辺側壁２ａに形成されたポケットｐ３に挿入されたネスティング状態となる（このようなネスティングを、一般に、異方向ネスティングと称する。）。
【０００９】
上述したネスティング状態から、上方の容器Ｂ１’を取り出す際には、図７に示されているように、先ず最初に、上方の容器Ｂ１’の一方の短辺側壁２ａを持ち上げて上方の容器Ｂ１’を傾斜させ、上方の容器Ｂ１’の相対する長辺側壁１ａ、１ｂに形成された幅狭支脚ｃ２を、下方の容器Ｂ２’の相対する長辺側壁１ａ、１ｂに形成された幅狭ポケットｐ１から取り出して、上方の容器Ｂ１’の相対する長辺側壁１ａ、１ｂに形成された幅広支脚ｃ１のみが、下方の容器Ｂ２’の相対する長辺側壁１ａ、１ｂに形成された幅広ポケットｐ２に挿入されている状態にする。この場合、上方の容器Ｂ１’の回転中心は、下方の容器Ｂ２’のフランジ４に載置されている、上方の容器Ｂ１’の短辺側壁２ｂに形成されたポケットｐ４の下端角部ｐ４’になる。次いで、上方の容器Ｂ１’を、右方向に、略水平方向に移動させて、上方の容器Ｂ１’を、下方の容器Ｂ２’から取り出すことが行われている。勿論、上方の容器Ｂ１’のもう一方の短辺側壁２ｂを持ち上げて上方の容器Ｂ１’を傾斜させて、上方の容器Ｂ１’の相対する長辺側壁１ａ、１ｂに形成された幅広支脚ｃ１を、下方の容器Ｂ２’の相対する長辺側壁１ａ、１ｂに形成された幅広ポケットｐ２から取り出して、上方の容器Ｂ１’の相対する長辺側壁１ａ、１ｂに形成された幅狭支脚ｃ２のみが、下方の容器Ｂ２’の相対する長辺側壁１ａ、１ｂに形成された幅狭ポケットｐ１に挿入されている状態とし、次いで、上方の容器Ｂ１’を、左方向に、略水平方向に移動させて、上方の容器Ｂ１’を、下方の容器Ｂ２’から取り出すこともできる。
【００１０】
【発明が解決しようとする課題】
上述したように、ネスティング状態から、先ず最初に、上方の容器Ｂ１’の一方の短辺側壁２ａを持ち上げて上方の容器Ｂ１’を傾斜させて、図７に示されているように、上方の容器Ｂ１’の相対する長辺側壁１ａ、１ｂに形成された幅狭支脚ｃ２を、下方の容器Ｂ２’の相対する長辺側壁１ａ、１ｂに形成された幅狭ポケットｐ１から取り出して、上方の容器Ｂ１’の相対する長辺側壁１ａ、１ｂに形成された幅広支脚ｃ１のみが、下方の容器Ｂ２’の相対する長辺側壁１ａ、１ｂに形成された幅広ポケットｐ２に挿入されている状態とし、次いで、上方の容器Ｂ１’を、右方向に、略水平方向に移動させて、上方の容器Ｂ１’を、下方の容器Ｂ２’から取り出すことが行われているが、上方の容器Ｂ１’の相対する長辺側壁１ａ、１ｂに形成された幅広支脚ｃ１が、依然として、下方の容器Ｂ２’の相対する長辺側壁１ａ、１ｂに形成された幅広ポケットｐ２に挿入されているために、幅広支脚ｃ１が、幅広ポケットｐ２に引っ掛かって、スムースに、上方の容器Ｂ１’を、下方の容器Ｂ２’から取り出すことができないという問題がある。
【００１１】
本発明の目的は、上述した従来の運搬用容器が有する課題を解決するとともに、運搬用容器の作業性、取扱い性を向上させることにある。
【００１２】
【課題を解決するための手段】
本発明は、上述した目的を達成するために、幅広支脚と幅狭ポケットのペアと幅広ポケットと幅狭支脚のペアとが形成された相対する長辺側壁を有し、上方の運搬用容器に形成された幅広支脚が、下方の運搬用容器に形成された幅広ポケットに挿入されるとともに、上方の運搬用容器に形成された幅狭支脚が、下方の運搬用容器に形成された幅狭ポケットに挿入されることにより、ネスティング状態となり、また、上方の運搬用容器に形成された幅広支脚及び幅狭支脚が、下方の運搬用容器に形成されたフランジに載置されることにより、スタッキング状態となるように構成された運搬用容器であって、第１には、前記運搬用容器の長辺側壁に対して直交する前記幅広ポケット及び幅狭ポケットの対向する略垂直な側壁のうち、前記運搬用容器の長辺側壁の中央寄りの略垂直な側壁に、前記運搬用容器の長辺側壁の中央方向に傾斜する傾斜面が形成されており、ネスティング状態から、上方の運搬用容器の一方の短辺側壁を持ち上げて、上方の運搬用容器の長辺側壁に形成された前記一方の短辺側壁側に位置する幅狭支脚或いは幅広支脚を、下方の運搬用容器の長辺側壁に形成された前記一方の短辺側壁側に位置する幅狭ポケット或いは幅広ポケットから取り出した後、上方の運搬用容器を略水平方向に移動させた際には、上方の運搬用容器の幅狭支脚或いは幅広支脚の長辺側壁の中央寄りの下端角部が、下方の運搬用容器の幅広ポケット或いは幅狭ポケットに形成された前記傾斜面に載置されながら前記傾斜面に沿って慴動するように構成したものであり、第２には、前記幅狭支脚及び幅広支脚の下面に、それぞれ、スタックリブが形成されているとともに、上記幅狭ポケット及び幅広ポケットの底面より低い第２底面を、前記運搬用容器の内側に形成し、且つ、前記第２底面から、前記傾斜面の運搬用容器の内側に位置する上端角部に向かって収斂する第２傾斜面を形成し、ネスティング状態においては、上方の運搬用容器の幅狭支脚のスタックリブ及び幅広支脚のスタックリブが、下方の運搬用容器の前記第２底面に載置され、また、ネスティング状態から、上方の運搬用容器の一方の短辺側壁を持ち上げて、上方の運搬用容器の長辺側壁に形成された前記一方の短辺側壁側に位置する幅狭支脚或いは幅広支脚を、下方の運搬用容器の長辺側壁に形成された前記一方の短辺側壁側に位置する幅狭ポケット或いは幅広ポケットから取り出した後、上方の運搬用容器を略水平方向に移動させた際には、上方の運搬用容器の幅狭支脚のスタックリブ或いは幅広支脚のスタックリブが、下方の運搬用容器に形成された前記第２傾斜面に載置されるように構成したものであり、第３には、前記幅狭ポケット及び幅広ポケットに形成された前記傾斜面の上端から下方に延びる垂直な補強リブを、前記運搬用容器の長辺側壁の外面に形成したものである。
【００１３】
図１〜図３を用いて、本発明の運搬用容器について説明するが、上述した従来の運搬用容器に対応する部分には、同一符号を用いた。なお、運搬用容器については、従来のものは，符号（Ｂ）に、ダッシュ（’）を付したが、本発明の運搬用容器については、符号（Ｂ）のみを使用した。
【００１４】
本発明は、相対する長辺側壁１ａ、１ｂに対向して形成された幅狭ポケットｐ１の長辺側壁１ａ、１ｂに対して直交するとともに長辺側壁１ａ、１ｂの中央寄りの略垂直な側壁ｐ１’に、長辺側壁１ａ、１ｂの中央方向に傾斜する傾斜面ｐ１”を形成したものである。同様に、相対する長辺側壁１ａ、１ｂに対向して形成された幅広ポケットｐ２の長辺側壁１ａ、１ｂに対して直交するとともに長辺側壁１ａ、１ｂの中央寄りの略垂直な側壁ｐ２’に、長辺側壁１ａ、１ｂの中央方向に傾斜する傾斜面ｐ２”を形成したものである。
【００１５】
図３には、上述した図７と同様に、ネスティング状態から、上方の容器Ｂ１の一方の短辺側壁２ａを持ち上げて上方の容器Ｂ１を傾斜させて、上方の容器Ｂ１の相対する長辺側壁１ａ、１ｂに形成された幅狭支脚ｃ２を、下方の容器Ｂ２の相対する長辺側壁１ａ、１ｂに形成された幅狭ポケットｐ１から取り出して、上方の容器Ｂ１の相対する長辺側壁１ａ、１ｂに形成された幅広支脚ｃ１のみが、下方の容器Ｂ２の相対する長辺側壁１ａ、１ｂに形成された幅広ポケットｐ２に挿入されている状態が示されている。この状態においては、下方の容器Ｂ２の幅広ポケットｐ２に挿入されている上方の容器Ｂ１の幅広支脚ｃ１の長辺側壁１ａ、１ｂの中央寄りの下端角部ｃ１’或いは幅広支脚ｃ１の下面にスタックリブｓ１が形成されている場合には、幅広支脚ｃ１の長辺側壁１ａ、１ｂの中央寄りのスタックリブｓ１が、幅広ポケットｐ２の長辺側壁１ａ、１ｂの中央寄りの略垂直な側壁ｐ２’から出て、傾斜面ｐ２”に位置するように構成されている。従って、この状態から、上方の容器Ｂ１を、右方向に、略水平方向に移動させると、上方の容器Ｂ１の幅広支脚ｃ１の長辺側壁１ａ、１ｂの中央寄りの下端角部ｃ１’或いは幅広支脚ｃ１の下面にスタックリブｓ１が形成されている場合には、幅広支脚ｃ１の長辺側壁１ａ、１ｂの中央寄りのスタックリブｓ１が、下方の容器Ｂ２の幅広ポケットｐ２の傾斜面ｐ２”に載置されながら傾斜面ｐ２”に沿って慴動し、従って、容易に、上方の容器Ｂ１の幅広支脚ｃ１を、下方の容器Ｂ２の幅広ポケットｐ２から抜き出すことができる。
【００１６】
また、逆に、ネスティング状態から、上方の容器Ｂ１のもう一方の短辺側壁２ｂを持ち上げて上方の容器Ｂ１を傾斜させ、上方の容器Ｂ１の相対する長辺側壁１ａ、１ｂに形成された幅広支脚ｃ１を、下方の容器Ｂ２の相対する長辺側壁１ａ、１ｂに形成された幅広ポケットｐ２から取り出して、上方の容器Ｂ１の相対する長辺側壁１ａ、１ｂに形成された幅狭支脚ｃ２のみが、下方の容器Ｂ２の相対する長辺側壁１ａ、１ｂに形成された幅狭ポケットｐ１に挿入されている場合も同様である。この状態においては、下方の容器Ｂ２の幅狭ポケットｐ１に挿入されている上方の容器Ｂ１の幅狭支脚ｃ２の長辺側壁１ａ、１ｂの中央寄りの下端角部ｃ２’或いは幅狭支脚ｃ２の下面にスタックリブｓ２が形成されている場合には、幅狭支脚ｃ２の長辺側壁１ａ、１ｂの中央寄りのスタックリブｓ２が、幅狭ポケットｐ１の長辺側壁１ａ、１ｂの中央寄りの略垂直な側壁ｐ１’から出て、傾斜面ｐ１”に位置するように構成されている。従って、この状態から、上方の容器Ｂ１を、左方向に、略水平方向に移動させると、上方の容器Ｂ１の幅狭支脚ｃ２の長辺側壁１ａ、１ｂの中央寄りの下端角部ｃ２’或いは幅狭支脚ｃ２の下面にスタックリブｓ２が形成されている場合には、幅狭支脚ｃ２の長辺側壁１ａ、１ｂの中央寄りのスタックリブｓ２が、下方の容器Ｂ２の幅狭ポケットｐ１の傾斜面ｐ１”に載置されながら傾斜面ｐ１”に沿って慴動し、従って、容易に、上方の容器Ｂ１の幅狭支脚ｃ２を、下方の容器Ｂ２の幅狭ポケットｐ１から抜き出すことができる。
【００１７】
なお、上述した実施例においては、相対する長辺側壁１ａ、１ｂに対向して形成された幅狭ポケットｐ１、幅広ポケットｐ２の長辺側壁１ａ、１ｂに対して直交するとともに長辺側壁１ａ、１ｂの中央寄りの略垂直な側壁ｐ１’、ｐ２’の途中から、長辺側壁１ａ、１ｂの中央方向に傾斜する傾斜面ｐ１”、ｐ２”を形成した例が示されているが、略垂直な側壁ｐ１’、ｐ２’の途中からではなく、幅狭ポケットｐ１、幅広ポケットｐ２の底面ｐ１ａ、ｐ２ａから、長辺側壁１ａ、１ｂの中央方向に傾斜する傾斜面ｐ１”、ｐ２”を形成することもできる。
【００１８】
次に、図４及び図５を用いて、上方の容器Ｂ１の相対する長辺側壁１ａ、１ｂに形成された幅広支脚ｃ１と幅狭支脚ｃ２の下面に、所定の間隔を置いて、それぞれ形成されたスタックリブｓ１、ｓ２が、ネスティング時に、下方の容器Ｂ２の幅広ポケットｐ２と幅狭ポケットｐ１の底面ｐ２ａ、ｐ１ａに載置されている場合について説明する。幅広支脚ｃ１のスタックリブｓ１は、通常、幅広支脚ｃ１の相対する側壁ｃ１ａの下端から垂下されており、且つ、幅広支脚ｃ１の下面と長辺側壁１ａ、１ｂの外面とにより形成される角部に形成されている。同様に、幅狭支脚ｃ２のスタックリブｓ２も、通常、幅狭支脚ｃ２の相対する側壁ｃ２ａの下端から垂下されており、且つ、幅狭支脚ｃ２の下面と長辺側壁１ａ、１ｂの外面とにより形成される角部に形成されている。なお、図４には、図１及び図３において、長辺側壁１ａに形成された幅広ポケットｐ２が示されており、また、図５には、図３の下方の容器Ｂ２の長辺側壁１ａに形成された幅広ポケットｐ２から、上方の容器Ｂ１の長辺側壁１ｂに形成された幅広支脚ｃ１が抜き出る過程が示されている。
【００１９】
図１に示されているように、容器Ｂの幅広ポケットｐ２と幅狭ポケットｐ１の底面ｐ２ａ、ｐ１ａが、段差もなく、平らに形成されている場合には、上方の容器Ｂ１の幅広支脚ｃ１と幅狭支脚ｃ２の下面に形成されたスタックリブｓ１、ｓ２が、ネスティング時に、下方の容器Ｂ２の幅広ポケットｐ２と幅狭ポケットｐ１の底面ｐ２ａ、ｐ１ａに載置されており、上方の容器Ｂ１の幅広支脚ｃ１と幅狭支脚ｃ２の下面は、下方の容器Ｂ２の幅広ポケットｐ２と幅狭ポケットｐ１の底面ｐ２ａ、ｐ１ａから浮いている。
【００２０】
このような状態から、図３に示されているように、上方の容器Ｂ１の一方の短辺側壁２ａを持ち上げて上方の容器Ｂ１を傾斜させて、上方の容器Ｂ１の相対する長辺側壁１ａ、１ｂに形成された幅狭支脚ｃ２を、下方の容器Ｂ２の相対する長辺側壁１ａ、１ｂに形成された幅狭ポケットｐ１から取り出して、上方の容器Ｂ１の相対する長辺側壁１ａ、１ｂに形成された幅広支脚ｃ１のみが、下方の容器Ｂ２の相対する長辺側壁１ａ、１ｂに形成された幅広ポケットｐ２に挿入されている状態にするとともに、上方の容器Ｂ１を、右方向に、略水平方向に移動させると、上方の容器Ｂ１の幅広支脚ｃ１の下面に形成されたスタックリブｓ１が、下方の容器Ｂ２の幅広ポケットｐ２の傾斜面ｐ２”に載置されながら傾斜面ｐ２”に沿って慴動することになるが、上述したように、長辺側壁１ａ、１ｂは、容器Ｂの開口部に向かって、外側に傾斜して形成されているので、上方の容器Ｂ１の幅広支脚ｃ１の下面に形成されたスタックリブｓ１は、下方の容器Ｂ２の幅広ポケットｐ２の傾斜面ｐ２”上を慴動している途中で、上記の傾斜面ｐ２”から外れて、下方の容器Ｂ２の幅広ポケットｐ２の底面ｐ２ａから浮いていた、上方の容器Ｂ１の幅広支脚ｃ１の下面が、下方の容器Ｂ２の幅広ポケットｐ２の傾斜面ｐ２”に載置されることになる。このように、上方の容器Ｂ１の幅広支脚ｃ１の下面に形成されたスタックリブｓ１が、下方の容器Ｂ２の幅広ポケットｐ２の傾斜面ｐ２”から外れて、上方の容器Ｂ１の幅広支脚ｃ１が、下方の容器Ｂ２の幅広ポケットｐ２の傾斜面ｐ２”に載置される時には、上方の容器Ｂ１の幅広支脚ｃ１は、スタックリブｓ１の高さ（ｈ）だけ、急に、落下して、下方の容器Ｂ２の幅広ポケットｐ２の傾斜面ｐ２”に載置されるために、上方の容器Ｂ１に、振動や衝撃を与えることになるとともに、作業者にとっては、上方の容器Ｂ１が、急に下降するので、上方の容器Ｂ１の下方の容器Ｂ２からの取り出しの作業性を損なうことにもなる。
【００２１】
そこで、本発明の別の実施例においては、上述したように、幅広ポケットｐ２の長辺側壁１ａ、１ｂに対して直交するとともに長辺側壁１ａ、１ｂの中央寄りの略垂直な側壁ｐ２’に、長辺側壁１ａ、１ｂの中央方向に傾斜する傾斜面ｐ２”を形成するとともに、更に、幅広ポケットｐ２の底面ｐ２ａから、略スタックリブｓ１の高さ（ｈ）分だけ低い第２底面ｐ２ｂを、容器Ｂの内側に形成し、且つ、該第２底面ｐ２ｂから、上記の傾斜面ｐ２”の容器Ｂの内側に位置する上端角部ｐ２ｄに向かって収斂する第２傾斜面ｐ２ｃを形成したものである。ネスティング状態においては、図５に二点鎖線で示されている上方の容器Ｂ１の幅広支脚ｃ１の位置（Ｘ）のように、上方の容器Ｂ１の幅広支脚ｃ１の下面は、下方の容器Ｂ２の幅広ポケットｐ２の底面ｐ２ａに載置され、また、上方の容器Ｂ１の幅広支脚ｃ１のスタックリブｓ１は、下方の容器Ｂ２の幅広ポケットｐ２の第２底面ｐ２ｂに載置されることになる。
【００２２】
このような状態から、上述したように、上方の容器Ｂ１の一方の短辺側壁２ａを持ち上げて上方の容器Ｂ１を傾斜させて、上方の容器Ｂ１の相対する長辺側壁１ａ、１ｂに形成された幅狭支脚ｃ２を、下方の容器Ｂ２の相対する長辺側壁１ａ、１ｂに形成された幅狭ポケットｐ１から取り出して、上方の容器Ｂ１の相対する長辺側壁１ａ、１ｂに形成された幅広支脚ｃ１のみが、下方の容器Ｂ２の相対する長辺側壁１ａ、１ｂに形成された幅広ポケットｐ２に挿入されている状態にするとともに、上方の容器Ｂ１を、右方向に、略水平方向に移動させると、上方の容器Ｂ１の幅広支脚ｃ１は、下方の容器Ｂ２の幅広ポケットｐ２の傾斜面ｐ２”に載置されながら傾斜面ｐ２”に沿って慴動し、また、上方の容器Ｂ１の幅広支脚ｃ１の下面に形成されたスタックリブｓ１は、下方の容器Ｂ２の幅広ポケットｐ２の第２傾斜面ｐ２ｃに載置されながら第２傾斜面ｐ２ｃに沿って慴動することになる。このように、上方の容器Ｂ１の幅広支脚ｃ１とスタックリブｓ１は、下方の容器Ｂ２の幅広ポケットｐ２の傾斜面ｐ２”上及び第２傾斜面ｐ２ｃ上に、それぞれ別個に、載置されるとともに慴動されているので、図５に二点鎖線で示されている上方の容器Ｂ１の幅広支脚ｃ１の位置（Ｙ）のように、上方の容器Ｂ１の幅広支脚ｃ１のスタックリブｓ１が、傾斜面ｐ２”の上端部ｐ２ｄに向かって収斂している第２傾斜面ｐ２ｃから外れても、依然として、上方の容器Ｂ１の幅広支脚ｃ１は、傾斜面ｐ２”に載置されているので、上方の容器Ｂ１の幅広支脚ｃ１が、急に、落下するようなことがなく、従って、上方の容器Ｂ１に、振動や衝撃を与えることも、また、作業者の作業性を損なうようなこともなく、図５に実線で示されている位置（Ｚ）まで、上方の容器Ｂ１がスムースに移動することができる。
【００２３】
上述したような、幅広ポケットｐ２に形成された第２底面ｐ２ｂ及び第２傾斜面ｐ２ｃと同様の第２底面と第２傾斜面は、相対する長辺側壁１ａ、１ｂに形成された幅狭ポケットｐ１にも形成されている。
【００２４】
上述したように、幅狭ポケットｐ１及び幅広ポケットｐ２に傾斜面ｐ１”、ｐ２”を形成すると、幅狭ポケットｐ１及び幅広ポケットｐ２付近の長辺側壁１ａ、１ｂの強度が低下するので、このような長辺側壁１ａ、１ｂの強度の低下を防止するために、傾斜面ｐ１”、ｐ２”の上端から下方に延びる、垂直な補強リブ６ａを、長辺側壁１ａ、１ｂの外面に形成することが好ましい。本実施例においては、図２に示されているように、フランジ４と、フランジ４の下方に形成された水平リブ５の間に、上記の補強リブ６ａが形成されている。
【００２５】
なお、相対する短辺側壁２ａ、２ｂに支脚ｃ３、ｃ４及びポケットｐ３、ｐ４が形成されている容器Ｂを用いて、本発明の実施例を説明したが、短辺側壁２ａ、２ｂの支脚ｃ３、ｃ４及びポケットｐ３、ｐ４は省略することもできる。また、相対する長辺側壁１ａ、１ｂの一方の対向する端部付近に、幅広支脚ｃ１と幅狭ポケットｐ１のペアが、そして、相対する長辺側壁１ａ、１ｂのもう一方の対向する端部付近に、幅広ポケットｐ２と幅狭支脚ｃ２のペアが配置された容器Ｂを用いて、本発明の実施例について説明したが、このような配置に、何ら、限定されることなく、上方の容器に形成された支脚が、下方の容器に形成されたポケットに挿入されてネスティングが可能な容器であれば、本発明を適用することができる。
【００２６】
【発明の効果】
本発明は、上述したように構成されているので、以下に記載されるような効果を奏するものである。
【００２７】
ネスティング状態にある上方の容器の一方の短辺側壁を上方に持ち上げるとともに、該上方の容器を略水平方向に移動させることにより、上方の容器を、下方の容器から、容易に抜き出すことができる。
【００２８】
ネスティング状態にある上方の容器の一方の短辺側壁を上方に持ち上げるとともに、該上方の容器を略水平方向に移動させることにより、上方の容器に、振動や衝撃を与えることなく、また、作業者の作業性を損なうことなく、上方の容器を、下方の容器から、スムースに、且つ、容易に抜き出すことができる。
【図面の簡単な説明】
【図１】図１は本発明の運搬用容器の斜視図である。
【図２】図２は本発明の運搬用容器の正面図である。
【図３】図３は上方に位置する運搬用容器の一方の短辺側壁が、下方の垂直断面で示された運搬用容器に対して、持ち上げられた状態を示す本発明の運搬用容器の正面図である。
【図４】図４は本発明の運搬用容器のポケットの斜視図である。
【図５】図５は本発明の運搬用容器の支脚がポケットから抜き出る状態を示す斜視図である。
【図６】図６は従来の運搬用容器の斜視図である。
【図７】図７は上方に位置する運搬用容器の一方の短辺側壁が、下方の垂直断面で示された運搬用容器に対して、持ち上げられた状態を示す従来の運搬用容器の正面図である。
【符号の説明】
Ｂ・・・・・・・・・・・・運搬用容器
ｃ１・・・・・・・・・・・幅広支脚
ｃ２・・・・・・・・・・・幅狭支脚
ｐ１・・・・・・・・・・・幅狭ポケット
ｐ２・・・・・・・・・・・幅広ポケット
ｐ１”、ｐ２”・・・・・・傾斜面
ｐ２ｃ・・・・・・・・・・第２傾斜面
１ａ、１ｂ・・・・・・・・長辺側壁
２ａ、２ｂ・・・・・・・・短辺側壁
【図１】
0003860873.tif 000002
【図２】
0003860873.tif 000003
【図３】
0003860873.tif 000004
【図４】
0003860873.tif 000005
【図５】
0003860873.tif 000006
【図６】
0003860873.tif 000007
【図７】
0003860873.tif 000008